(57)【要約】【課題】無線通信を行う装置が国境付近に位置していても、国境に接する各国に対応して無線通信の設定を行う。【解決手段】通信端末１は、国境に接する一方の国にある無線基地局から送信されるＭＣＣ（Mobile Country Code）と、もう一方の国にある無線基地局から送信されるＭＣＣを第１通信部１０８Ａで受信する。通信端末１は、受信した一方のＭＣＣが表す国における無線ＬＡＮの設定と、もう一方のＭＣＣが表す国における無線ＬＡＮの設定とのうち、共通する設定を記憶部１０５から取得する。第２通信部１０８Ｂは、取得した設定で無線ＬＡＮの通信を行う。【選択図】図１
2010288131.tif 000002
【特許請求の範囲】
【請求項１】
移動体通信網を構成する無線基地局と無線通信を行い、該無線基地局が位置する地域を示す地域情報を該無線基地局から受信する第１通信手段と、
前記第１通信手段が行う無線通信の帯域とは異なる帯域で無線通信を行う第２通信手段と、
複数の地域毎に、該地域で前記第２通信手段が行う無線通信の設定を示す設定データを記憶する記憶手段と、
各々異なる前記地域情報を前記第１通信手段が複数の無線基地局から受信すると、受信した各地域情報が示す地域を判断する判断手段と、
前記判断手段が判断した各地域の設定データにおいて共通する設定データを前記記憶手段から取得する共通設定取得手段と
を有する通信端末。
【請求項２】
前記共通設定手段で取得した設定データで前記第２通信手段の無線通信の設定を行う設定手段を有することを特徴とする請求項１に記載の通信端末。
【請求項３】
前記第１通信手段が前記地域情報を受信した時の電波の通信品質を測定する測定手段を有し、
第１の地域情報を前記第１通信手段が受信した時に前記測定手段で測定された第１通信品質と、第２の地域情報を前記第１通信手段が受信した時に前記測定手段で測定された第２通信品質との差が予め定められた値未満である場合、前記共通設定取得手段で取得した設定データで前記第２通信手段の無線通信の設定を行い、前記第１通信品質と前記第２通信品質との差が予め定められた値以上である場合、測定された通信品質が良好なほうの地域情報が示す地域の設定データを前記記憶手段から取得し、取得した設定データで前記第２通信手段の無線通信の設定を行う設定手段を有すること
を特徴とする請求項１に記載の通信端末。
【請求項４】
移動体通信網を構成する無線基地局と無線通信を行い、該無線基地局が位置する地域を示す地域情報を該無線基地局から受信する第１通信手段と、
前記第１通信手段が行う無線通信の帯域とは異なる帯域で無線通信を行う第２通信手段と、
複数の地域毎に、該地域で前記第２通信手段が行う無線通信の設定を示す設定データを対応付けて記憶する記憶手段と、
を有する通信端末の制御方法であって、
各々異なる前記地域情報を前記第１通信手段が複数の無線基地局から受信すると、受信した各地域情報が示す地域を判断する判断ステップと、
前記判断ステップが判断した各地域の設定データにおいて共通する設定データを前記記憶手段から取得する共通設定取得ステップと
を有する制御方法。
【発明の詳細な説明】
【技術分野】
【０００１】
本発明は、通信に関する設定を変更する技術に関する。
【背景技術】
【０００２】
ＩＥＥＥ８０２．１１ｂの規格に準拠した無線ＬＡＮ（Local Area Network）については、使用可能な周波数や最大送信電力などが国によって異なる。このため、無線ＬＡＮの機能を備えたコンピュータ装置を使用するユーザーは、コンピュータ装置を携帯して国を移動した際には、移動した国に合わせてこれらの設定を適切に行う必要がある。
この設定を自動で行う装置としては、特許文献１や特許文献２に開示された装置があり、これらの装置は、ＧＰＳ（Global Positioning System）を利用して装置が位置している国を特定し、使用する周波数や最大送信電力などを特定した国に合わせて自動で設定する。
【０００３】
なお、装置が位置する国を特定する技術としては、ＧＰＳを利用したものだけではなく、特許文献３に開示されているように、移動体通信網の基地局から送信されるＭＣＣ（Mobile Country Code）によって装置が位置している国を特定する技術もある。ＧＰＳに替えてこの技術を利用すれば、移動体通信網で使用される電波はＧＰＳからの電波と比較して屋内に届くため、屋内であっても装置が位置している国を特定し、国に合わせた設定を行うことができる。
【先行技術文献】
【特許文献】
【０００４】
【特許文献１】特開２００３−１１１１２３号公報
【特許文献２】特開２００４−１７９８２６号公報
【特許文献３】特開２００２−２４７６４６号公報
【発明の概要】
【発明が解決しようとする課題】
【０００５】
ところで、移動体通信網の基地局から送信されるＭＣＣを利用する場合、国境付近においては、一方の国にある基地局からの電波と、もう一方の国にある基地局からの電波を受信できる場合が生じえる。この場合、２つの国のＭＣＣを受信可能となり、ＭＣＣだけでは装置が位置している国の特定が難しいため、装置が位置している国に合わせて無線ＬＡＮに関する設定を行うことが困難となる。
【０００６】
本発明は、上述した背景の下になされたものであり、無線通信を行う装置が国境付近に位置していても、国境に接する各国に対応して無線通信の設定を行う技術を提供することを目的とする。
【課題を解決するための手段】
【０００７】
本発明は、移動体通信網を構成する無線基地局と無線通信を行い、該無線基地局が位置する地域を示す地域情報を該無線基地局から受信する第１通信手段と、前記第１通信手段が行う無線通信の帯域とは異なる帯域で無線通信を行う第２通信手段と、複数の地域毎に、該地域で前記第２通信手段が行う無線通信の設定を示す設定データを記憶する記憶手段と、各々異なる前記地域情報を前記第１通信手段が複数の無線基地局から受信すると、受信した各地域情報が示す地域を判断する判断手段と、前記判断手段が判断した各地域の設定データにおいて共通する設定データを前記記憶手段から取得する共通設定取得手段とを有する通信端末を提供する。
【０００８】
本発明においては、前記共通設定手段で取得した設定データで前記第２通信手段の無線通信の設定を行う設定手段を有する構成であってもよい。
【０００９】
また、本発明においては、前記第１通信手段が前記地域情報を受信した時の電波の通信品質を測定する測定手段を有し、第１の地域情報を前記第１通信手段が受信した時に前記測定手段で測定された第１通信品質と、第２の地域情報を前記第１通信手段が受信した時に前記測定手段で測定された第２通信品質との差が予め定められた値未満である場合、前記共通設定取得手段で取得した設定データで前記第２通信手段の無線通信の設定を行い、前記第１通信品質と前記第２通信品質との差が予め定められた値以上である場合、測定された通信品質が良好なほうの地域情報が示す地域の設定データを前記記憶手段から取得し、取得した設定データで前記第２通信手段の無線通信の設定を行う設定手段を有する構成であってもよい。
【００１０】
また、本発明は、移動体通信網を構成する無線基地局と無線通信を行い、該無線基地局が位置する地域を示す地域情報を該無線基地局から受信する第１通信手段と、前記第１通信手段が行う無線通信の帯域とは異なる帯域で無線通信を行う第２通信手段と、複数の地域毎に、該地域で前記第２通信手段が行う無線通信の設定を示す設定データを対応付けて記憶する記憶手段と、を有する通信端末の制御方法であって、各々異なる前記地域情報を前記第１通信手段が複数の無線基地局から受信すると、受信した各地域情報が示す地域を判断する判断ステップと、前記判断ステップが判断した各地域の設定データにおいて共通する設定データを前記記憶手段から取得する共通設定取得ステップとを有する制御方法を提供する。
【発明の効果】
【００１１】
本発明によれば、無線通信を行う装置が国境付近に位置していても、国境に接する各国に対応して無線通信の設定を行うことができる。
【図面の簡単な説明】
【００１２】
【図１】通信端末１のハードウェア構成を示したブロック図。
【図２】周波数テーブルＴＢ１のフォーマットを例示した図。
【図３】送信電力テーブルＴＢ２のフォーマットを例示した図。
【図４】通信端末１の機能構成を示したブロック図。
【図５】実施形態の動作を説明するための図。
【図６】実施形態の動作を説明するための図。
【図７】本発明の変形例に係る通信端末１の機能構成を示したブロック図。
【図８】本発明の変形例に係る通信端末１の処理の流れを示したフローチャート。
【図９】本発明の変形例に係る通信端末１の処理の流れを示したフローチャート。
【図１０】本発明の変形例に係る通信端末１の処理の流れを示したフローチャート。
【発明を実施するための形態】
【００１３】
［実施形態］
（実施形態の構成）
図１は、本発明の一実施形態に係る通信端末１のハードウェア構成を示したブロック図である。本実施形態において通信端末１は、携帯電話機の機能を備えており、移動体通信網を構成している無線基地局との間で無線通信を行い、音声通信やデータ通信を行う。また、通信端末１は、ＩＥＥＥ８０２．１１ｂの規格に準拠した通信を行う機能を備えている。
【００１４】
通信端末１の各部は、バス１０１に接続されており、このバス１０１を介して各部間でデータの授受を行う。
第１通信部１０８Ａは、移動体通信網を構成する無線基地局と通信を行うインターフェースとして機能し、ＣＰＵ１０２の制御の下、図示せぬアンテナを介して無線基地局と無線通信を行う。なお、第１通信部１０８Ａは、ＩＭＴ−２０００,ＬＴＥ,４Ｇ、ＧＳＭなど３ＧＰＰ規格に準拠した通信を行うことが可能である。
第２通信部１０８Ｂは、ＩＥＥＥ８０２．１１ｂの規格に準拠した無線ＬＡＮの基地局と通信を行うインターフェースとして機能し、ＣＰＵ１０２の制御の下、図示せぬアンテナを介して無線ＬＡＮの基地局と無線通信を行う。
【００１５】
通話部１０９は、マイク、スピーカを有している。通話部１０９は、音声通信中にマイクに音声が入力されると、入力された音声をデジタル化した音声信号を生成し、この音声信号を通信部１０８Ａへ出力する。これにより、ユーザーの音声が通話相手の通信端末へ送信される。また、通話部１０９は、音声通信中にデジタル化された音声信号が通信部１０８Ａから入力されると、この音声信号をアナログ信号に変換してスピーカへ出力し、通話相手の音声を出力する。これにより、通信端末１のユーザーは、通話相手の音声を聞くことができる。
操作部１０６は、テンキーなどの複数のキーを有しており、このキーが押下されると、押下されたキーを示す信号が操作部１０６からＣＰＵ１０２へ出力される。ＣＰＵ１０２は、この信号を受け取ると、押下されたキーに応じて各部を制御する。
表示部１０７は、液晶ディスプレイを有しており、ＣＰＵ１０２の制御の下、文字やグラフィック画面、通信端末１を操作するためのメニュー画面などを表示する。
【００１６】
記憶部１０５は、不揮発性メモリを備えており、第２通信部１０８Ｂが行う無線通信に関する設定を示す設定データを格納した周波数テーブルＴＢ１と、送信電力テーブルＴＢ２を記憶している。
図２は、周波数テーブルＴＢ１のフォーマットを例示した図である。周波数テーブルＴＢ１は、第２通信部１０８Ｂが無線通信を行う時に授受する電波の周波数を設定する際に参照されるテーブルであり、チャネルの列には第２通信部１０８Ｂが無線通信を行う時に使用する１〜１４のチャネルの番号と、各チャネルの中心周波数が格納されている。また、国（地域）の列としては、アメリカ、欧州、スペイン、フランス、日本の列が設けられている。これらの列においては、その国（地域）で使用可能なチャネルの行に「１」が格納されており、使用が推奨されるチャネルの行には「２」が格納されている。また、使用不可のチャネルについては「０」が格納されている。
例えば、「アメリカ」の列においては、チャネル番号が「１」，「６」，「１１」の行に「２」が格納されているため、アメリカにおいては、これらのチャネル番号のチャネルが使用を推奨されるチャネルとなる。一方、アメリカの列においては、チャネル番号が「１４」の行に「０」が格納されているため、アメリカでチャネル番号が１４のチャネルは使用不可のチャネルとなる。
【００１７】
次に、図３は、送信電力テーブルＴＢ２のフォーマットを例示した図である。
送信電力テーブルＴＢ２は、第２通信部１０８Ｂが無線通信を行う時の送信電力の上限を設定する際に参照されるテーブルであり、最大送信電力の列には、第２通信部１０８Ｂが無線通信を行う時の送信電力の上限が格納されており、最大送信電力として「５０ｍＷ」の行と「１００ｍＷ」の行が設けられている。また、国（地域）の列としては、アメリカ、欧州、スペイン、フランス、日本の列が設けられている。
例えば、送信電力テーブルの「アメリカ」の列においては、１００ｍＷの行に「１」が格納されているため、アメリカでは、第２通信部１０８Ｂが無線通信を行う時に送信電力の上限は１００ｍＷとなる。一方、日本の列においては、５０ｍＷの行に「１」が格納されているため、日本では、第２通信部１０８Ｂが無線通信を行う時に送信電力の上限が５０ｍＷとなる。
【００１８】
ＲＯＭ１０３にはＣＰＵ１０２により実行されるプログラムが記憶されており、移動体通信網を介した音声通信やデータ通信の機能、移動体通信網から国際ローミングのサービスを受ける機能、無線ＬＡＮを介したデータ通信の機能などを実現する制御プログラムが記憶されている。
【００１９】
ＣＰＵ１０２は、図示を省略した二次電池から電力が供給されると、ＲＯＭ１０３から制御プログラムを読み出して実行し、通信端末１の各部を制御する。ＣＰＵ１０２が制御プログラムを実行すると、移動体通信網を介した音声通信やデータ通信の機能、国際ローミングのサービスを受ける機能など携帯電話機の機能が実現する。また、ＣＰＵ１０２が制御プログラムを実行すると、無線ＬＡＮを介したデータ通信の機能や、通信端末１が位置している国を判断し、判断した国に応じて無線ＬＡＮの通信に関する設定を行う機能が実現する。
【００２０】
ここで、図４は、通信端末１において実現される機能の一部を模式的に示したブロック図である。
ＣＰＵ１０２により制御プログラムが実行されると、図４に示した無線ＬＡＮ通信部２００、移動体通信部２０１、国判断部２０２、無線ＬＡＮ設定部２０３が実現する。
無線ＬＡＮ通信部２００は、無線ＬＡＮを介した通信を行うブロックであり、第２通信部１０８Ｂを制御してデータ通信を行う。
移動体通信部２０１は、移動体通信網を介した通信を行うブロックであり、第１通信部１０８Ａを制御して音声通信やデータ通信を行う。また、第１通信部１０８Ａが無線基地局から受信した信号を解析し、無線基地局から送信されたＭＣＣを取得する。
国判断部２０２は、通信端末１が位置している国を判断するブロックであり、移動体通信部２０１で取得されたＭＣＣを基にして通信端末１が位置している国を判断する。
共通設定取得部２０３は、移動体通信部２０１で２つのＭＣＣが取得された場合、一方のＭＣＣが表す国と、もう一方のＭＣＣが表す国との間で共通の設定を周波数テーブルＴＢ１と送信電力テーブルＴＢ２から取得するブロックである。
無線ＬＡＮ設定部２０４は、国判断部２０２が判断した国に基づいて第２通信部１０８Ｂを制御し、第２通信部１０８Ｂが出力する電波の周波数や送信電力の設定を行うブロックである。なお、無線ＬＡＮ設定部２０４は、移動体通信部２０１で２つのＭＣＣが取得された場合、共通設定取得部２０３が取得した設定で第２通信部１０８Ｂの設定を行う。
【００２１】
（実施形態の動作）
次に、本実施形態の動作について説明する。なお、以下の説明においては、通信端末１を携帯したユーザーが、欧州を移動した場合を想定して動作の説明を行う。
【００２２】
（通信端末１がフランスに位置している場合の動作）
まず、通信端末１がフランスのパリに位置している場合、第１通信部１０８Ａは、パリに設置されている無線基地局から送信されているＭＣＣを受信する（図５：ステップＳ１０１）。ここで、第１通信部１０８Ａで受信されたＭＣＣは、無線基地局が配置されている国がフランスであることを示している。ＣＰＵ１０２は、ＭＣＣが第１通信部１０８Ａで受信されると、受信したＭＣＣをＲＡＭ１０４に記憶させる（ステップＳ１０２）。
また、ＣＰＵ１０２は、ＭＣＣが第１通信部１０８Ａで受信されると、予め定められた時間、ＲＡＭ１０４に記憶させたＭＣＣと異なるＭＣＣが受信されるか第１通信部１０８Ａを監視する。そして、予め定められた時間が経過すると、ＣＰＵ１０２は、ＲＡＭ１０４に記憶させたＭＣＣに基づいて第２通信部１０８Ｂの設定を行う。
【００２３】
具体的には、ＣＰＵ１０２は、まずＲＡＭ１０４に記憶させたＭＣＣが表す国を判断し、ここでは国が「フランス」であると判断する（ステップＳ１０３）。次にＣＰＵ１０２は、周波数テーブルＴＢ１において、ＭＣＣが表す国の列を参照する。ここでは、ＭＣＣが表している国はフランスであるため、フランスの列が参照される。次に、ＣＰＵ１０２は、周波数テーブルＴＢ１のフランスの列において「２」が格納されている行を特定し、この行に格納されているチャネル番号「１１」と中心周波数「２．４６２ＧＨｚ」を取得する。
また、ＣＰＵ１０２は、送信電力テーブルＴＢ２において、ＭＣＣが表す国の列を参照する。ここでは、ＭＣＣが表している国はフランスであるため、フランスの列が参照される。次に、ＣＰＵ１０２は、送信電力テーブルＴＢ２のフランスの列において「１」が格納されている行を特定し、この行に格納されている最大送信電力「１００ｍＷ」を取得する（ステップＳ１０４）。
【００２４】
ＣＰＵ１０２は、各テーブルから情報の取得を終了すると、取得した情報に基づいて第２通信部１０８Ｂを設定する（ステップＳ１０５）。具体的には、上述したようにＣＰＵ１０２は、中心周波数「２．４６２ＧＨｚ」と最大送信電力「１００ｍＷ」を読み出したため、第２通信部１０８Ｂを制御し、第２通信部１０８Ｂが通信を行う時に授受する電波の中心周波数を「２．４６２ＧＨｚ」に設定し、送信電力の上限を「１００ｍＷ」に設定する。
この後、通信端末１が無線ＬＡＮを使用した通信を行う際には、ＣＰＵ１０２は、第２通信部１０８Ｂを制御して通信を行う。ここで、第２通信部１０８Ｂが授受する電波の中心周波数は、上述した設定がされたため「２．４６２ＧＨｚ」となり、送信電力の上限は「１００ｍＷ」となる。
【００２５】
（通信端末１がフランスとスペインとの国境付近に位置している場合の動作）
次に、通信端末１がフランスとスペインとの国境付近に位置している場合の動作について説明する。通信端末１がフランスとスペインとの国境付近に位置した場合、第１通信部１０８Ａは、フランスに設置されている無線基地局からの電波と、スペインに設置されている無線基地局からの電波を受信し得る。まず、第１通信部１０８Ａが、フランスに設置されている無線基地局から送信されているＭＣＣを受信すると（図６：ステップＳ２０１）、受信したＭＣＣがＲＡＭ１０４に記憶される（ステップＳ２０２）。
ＭＣＣが第１通信部１０８Ａで受信されると、ＣＰＵ１０２は、予め定められた時間、受信したＭＣＣと異なるＭＣＣが受信されるか第１通信部１０８Ａを監視する。この時間の間において、第１通信部１０８Ａが、スペインに設置されている無線基地局から送信されているＭＣＣを受信すると（ステップＳ２０３）、受信したＭＣＣがＲＡＭ１０４に記憶される（ステップＳ２０４）。
【００２６】
ＣＰＵ１０２は、ＲＡＭ１０４に２つのＭＣＣが記憶されると、記憶されたＭＣＣに基づいて、第２通信部１０８Ｂの設定を行う。具体的には、ＣＰＵ１０２は、まずＲＡＭ１０４に記憶させたＭＣＣが表す国を判断する。ここでは一方のＭＣＣについては国が「フランス」であると判断し、もう一方のＭＣＣについては国が「スペイン」であると判断する（ステップＳ２０５）。
【００２７】
次にＣＰＵ１０２は、判断結果に基づいて周波数テーブルＴＢ１においてフランスの列とスペインの列を参照する。そして、ＣＰＵ１０２は、２つのＭＣＣを受信した場合には、周波数テーブルＴＢ１のフランスの列とスペインの列において共通している項目を抽出する。ここで、フランスの列においては、チャネル番号「１１」の行に「２」が格納されており、スペインの列においても、チャネル番号「１１」の行に「２」が格納されている。つまり、チャネル番号「１１」が両方の国において推奨チャネルとされていて共通しているため、ＣＰＵ１０２は、チャネル番号「１１」と、この行に格納されている中心周波数「２．４６２ＧＨｚ」を周波数テーブルＴＢ１から取得する。
また、ＣＰＵ１０２は、送信電力テーブルＴＢ２においてフランスの列とスペインの列を参照する。そして、ＣＰＵ１０２は、送信電力テーブルＴＢ２のフランスの列とスペインの列において共通している項目を抽出する。ここで、フランスの列においては、最大送信電力「１００ｍＷ」の行に「１」が格納されており、スペインの列においても、最大送信電力「１００ｍＷ」の行に「１」が格納されている。つまり、最大送信電力「１００ｍＷ」は、両方の国において共通しているため、ＣＰＵ１０２は、この最大送信電力「１００ｍＷ」を送信電力テーブルＴＢ２から取得する。
【００２８】
ＣＰＵ１０２は、各テーブルからの情報の取得（ステップＳ２０６）を終了すると、取得した情報に基づいて第２通信部１０８Ｂを設定する（ステップＳ２０７）。具体的には、上述したようにＣＰＵ１０２は、中心周波数「２．４６２ＧＨｚ」と最大送信電力「１００ｍＷ」を読み出したため、第２通信部１０８Ｂを制御し、第２通信部１０８Ｂが通信を行う時に授受する電波の中心周波数を「２．４６２ＧＨｚ」に設定し、送信電力の上限を「１００ｍＷ」に設定する。
この後、通信端末１が無線ＬＡＮを使用した通信を行う際には、ＣＰＵ１０２は、第２通信部１０８Ｂを制御して通信を行う。ここで、第２通信部１０８Ｂが授受する電波の中心周波数は、上述した設定により「２．４６２ＧＨｚ」となっており、送信電力の上限は「１００ｍＷ」となる。
【００２９】
ここで、通信端末１が国境付近でフランス側に位置していた場合、第２通信部１０８Ｂが出力する電波の中心周波数は「２．４６２ＧＨｚ」となっており、フランスで使用可能な周波数となっている。また、送信電力の上限も「１００ｍＷ」とされるため、フランスで無線ＬＡＮを介した通信を行ってもフランスで法律違反となることがない。
また、通信端末１が国境付近でスペイン側に位置していても、第２通信部１０８Ｂが出力する電波の中心周波数は「２．４６２ＧＨｚ」となっており、スペインで使用可能な周波数となっている。また、送信電力の上限も「１００ｍＷ」とされるため、スペイン側でも法律違反となることがない。
【００３０】
（通信端末１がフランスとドイツとの国境付近に位置している場合の動作）
次に、通信端末１がフランスとドイツとの国境付近に位置している場合の動作について説明する。通信端末１がフランスとドイツとの国境付近に位置した場合、第１通信部１０８Ａは、フランスに設置されている無線基地局からの電波と、ドイツに設置されている無線基地局からの電波を受信し得る。まず、第１通信部１０８Ａが、フランスに設置されている無線基地局から送信されているＭＣＣを受信すると、受信したＭＣＣがＲＡＭ１０４に記憶される。
ＭＣＣが第１通信部１０８Ａで受信されると、ＣＰＵ１０２は、予め定められた時間、受信したＭＣＣと異なるＭＣＣが受信されるか第１通信部１０８Ａを監視する。この時間の間において、第１通信部１０８Ａが、ドイツに設置されている無線基地局から送信されているＭＣＣを受信すると、受信したＭＣＣがＲＡＭ１０４に記憶される。
【００３１】
ＣＰＵ１０２は、ＲＡＭ１０４に２つのＭＣＣが記憶されると、記憶されたＭＣＣに基づいて、第２通信部１０８Ｂの設定を行う。まず、ＣＰＵ１０２は、ＲＡＭ１０４に記憶させたＭＣＣが表す国を判断し、ここでは一方のＭＣＣについては国が「フランス」であると判断し、もう一方のＭＣＣについては国が「ドイツ」であると判断する。
【００３２】
次にＣＰＵ１０２は、ＭＣＣの一方がフランスを表しており、もう一方がドイツを表しているため、周波数テーブルＴＢ１においてフランスの列と欧州の列を参照する。なお、本実施形態においてＣＰＵ１０２は、ＭＣＣが表す国がヨーロッパの国であり、スペインおよびフランス以外の国である場合、各テーブルにおいて欧州の列を参照する。そして、ＣＰＵ１０２は、周波数テーブルＴＢ１のフランスの列と欧州の列において共通している項目を抽出する。
【００３３】
ここで、フランスの列においては、チャネル番号「１１」の行に「２」が格納されている。一方、欧州の列においては、チャネル番号「１」、「７」、「１３」の行に「２」が格納されており、推奨チャネルが一致していない。しかし、欧州の列においては、チャネル番号「１１」の行に「１」が格納されており、チャネル番号「１１」はフランスと欧州（ドイツ）において使用可能なチャネルとして共通している。このため、ＣＰＵ１０２は、チャネル番号「１１」と、この行に格納されている中心周波数「２．４６２ＧＨｚ」を周波数テーブルＴＢ１から取得する。
また、ＣＰＵ１０２は、送信電力テーブルＴＢ２においてフランスの列と欧州の列を参照する。そして、ＣＰＵ１０２は、送信電力テーブルＴＢ２のフランスの列と欧州の列において共通している項目を抽出する。ここで、フランスの列においては、最大送信電力「１００ｍＷ」の行に「１」が格納されており、欧州の列においても、最大送信電力「１００ｍＷ」の行に「１」が格納されている。つまり、最大送信電力「１００ｍＷ」は、フランスと欧州の両方で共通しているため、ＣＰＵ１０２は、この最大送信電力「１００ｍＷ」を送信電力テーブルＴＢ２から取得する。
【００３４】
ＣＰＵ１０２は、各テーブルからの情報の取得を終了すると、取得した情報に基づいて第２通信部１０８Ｂを設定する。具体的には、上述したようにＣＰＵ１０２は、中心周波数「２．４６２ＧＨｚ」と最大送信電力「１００ｍＷ」を読み出したため、第２通信部１０８Ｂを制御し、第２通信部１０８Ｂが通信を行う時に授受する電波の中心周波数を「２．４６２ＧＨｚ」に設定し、送信電力の上限を「１００ｍＷ」に設定する。
この後、通信端末１が無線ＬＡＮを使用した通信を行う際には、ＣＰＵ１０２は、第２通信部１０８Ｂを制御して通信を行う。ここで、第２通信部１０８Ｂが授受する電波の中心周波数は、上述した設定により「２．４６２ＧＨｚ」となっており、送信電力の上限は「１００ｍＷ」となる。
【００３５】
ここで、通信端末１が国境付近でフランス側に位置していた場合、第２通信部１０８Ｂが出力する電波の中心周波数は「２．４６２ＧＨｚ」となっており、フランスで使用可能な周波数となっている。また、送信電力の上限も「１００ｍＷ」とされるため、フランスで無線ＬＡＮを介した通信を行ってもフランスで法律違反となることがない。
また、通信端末１が国境付近でドイツ側に位置していても、第２通信部１０８Ｂが出力する電波の中心周波数は「２．４６２ＧＨｚ」となっており、ドイツで使用可能な周波数となっている。また、送信電力の上限も「１００ｍＷ」とされるため、ドイツ側でも法律違反となることがない。
【００３６】
以上説明したように本実施形態によれば、通信端末１が国境付近に位置しても、国境に接した国の両方に対応した設定が第２通信部１０８Ｂに対してされるため、各国の法律に違反することを防ぐことができる。
【００３７】
［変形例］
本発明は上述した実施形態に限定されることなく、他の様々な形態で実施可能である。例えば、上述の実施形態を以下のように変形して本発明を実施してもよく、各変形例を組み合わせて実施してもよい。
【００３８】
上述した実施形態においては、移動体通信網を構成する無線基地局からのＭＣＣを受信する際、ＭＣＣを送信した電波の電界強度を通信品質として第１通信部１０８Ａで測定し、測定した電界強度をＭＣＣと対応付けて記憶してもよい。
また、この構成においては、国境付近で第１の国に位置する無線基地局と、第２の国に位置する無線基地局とからＭＣＣを受信した場合、対応付けられている電界強度が大きいほうのＭＣＣが示す国に基づいて、第２通信部１０８Ｂを設定するようにしてもよい。
【００３９】
図７は、この変形例に係る通信端末において実現される機能を模式的に示したブロック図である。同図に示したように、本変形例においては上記実施形態で説明した機能ブロックに加えて測定部２０５が実現する。この測定部２０５は、第１通信部１０８ＡがＭＣＣを受信した時に無線基地局から送信されている電波の通信品質を測定するブロックであり、電界強度やＳ／Ｎ比を測定する。
【００４０】
図８，９は、この変形例における処理の流れを示したフローチャートである。
例えば通信端末１がフランスとスペインの国境付近に位置しており、フランスに設置されている無線基地局から送信されたＭＣＣを受信すると（図８：ステップＳＡ１；ＹＥＳ）、この無線基地局から送信されている電波の電界強度を測定し（ステップＳＡ２）、ＭＣＣと電界強度とを対応付けて記憶する（ステップＳＡ３）。
また、スペインに設置されている無線基地局から送信されたＭＣＣを受信すると（ステップＳＡ１；ＹＥＳ）、この無線基地局から送信されている電波の電界強度を測定し（ステップＳＡ２）、ＭＣＣと電界強度とを対応付けて記憶する（ステップＳＡ３）。
ＣＰＵ１０２は、複数のＭＣＣを受信した場合（図９：ステップＳＢ１；ＹＥＳ）、各ＭＣＣに対応付けて記憶されている電界強度を比較し（ステップＳＢ２）、フランスの基地局からの電波の電界強度がスペインの基地局からの電波の電界強度より大きい場合には、ＣＰＵ１０２は、周波数テーブルＴＢ１においてフランスの列を参照し、送信電力テーブルＴＢ２においてフランスの列を参照して中心周波数と最大送信電力を設定する（ステップＳＢ３）。なお、複数のＭＣＣを受信していない場合には（ステップＳＢ１；ＮＯ）、受信したＭＣＣに基づいて周波数テーブルＴＢ１と送信電力テーブルＴＢ２を参照し、中心周波数と最大送信電力の設定を行う（ステップＳＢ４）。
【００４１】
なお、ＭＣＣを送信した電波の電界強度を測定する構成においては、図１０のフローチャートに示したように処理を行ってもよい。具体的には、複数のＭＣＣを受信した場合（図１０：ステップＳＣ１；ＹＥＳ）、各ＭＣＣに対応付けて記憶されている電界強度を比較し（ステップＳＣ２）、一方のＭＣＣに対応付けられている電波の電界強度と、もう一方のＭＣＣに対応付けられている電波の電界強度との差が予め定められた値以上である場合には（ステップＳＣ４；ＹＥＳ）、対応付けられている電界強度が大きいほうのＭＣＣが示す国（地域）に基づいて、第２通信部１０８Ｂを設定するようにしてもよい（ステップＳＣ６）。
また、一方のＭＣＣに対応付けられている電波の電界強度と、もう一方のＭＣＣに対応付けられている電波の電界強度との差が予め定められた値未満である場合には（ステップＳＣ４；ＮＯ）、上述した実施形態の動作で２つの国（地域）で共通する情報を各テーブルから取得し、取得した情報で第２通信部１０８Ｂの設定を行ってもよい（ステップＳＣ５）。
なお、複数のＭＣＣを受信していない場合には（ステップＳＣ１；ＮＯ）、受信したＭＣＣに基づいて周波数テーブルＴＢ１と送信電力テーブルＴＢ２を参照し、中心周波数と最大送信電力の設定を行う（ステップＳＣ３）。
【００４２】
なお、上述した構成では電界強度を測定しているが、電界強度に替えてＳ／Ｎ比を通信品質として測定し、測定したＳ／Ｎ比をＭＣＣと対応付けて記憶してもよい。
そして、国境付近で２つの国からＭＣＣを受信した際、一方のＭＣＣに対応付けたＳ／Ｎ比と、もう一方のＭＣＣに対応付けたＳ／Ｎ比との差が予め定められた値以上である場合には、対応付けられているＳ／Ｎ比が大きいほうのＭＣＣが示す国（地域）に基づいて、第２通信部１０８Ｂを設定するようにしてもよい。
また、一方のＭＣＣに対応付けたＳ／Ｎ比と、もう一方のＭＣＣに対応付けたＳ／Ｎ比との差が予め定められた値未満である場合には、上述した実施形態の動作で２つの国（地域）で共通する情報を各テーブルから取得し、取得した情報で第２通信部１０８Ｂの設定を行ってもよい。
【００４３】
上述した実施形態においては、第２通信部１０８Ｂが行う通信は、ＩＥＥＥ８０２．１１ｂに限定されるものではなく、ＩＥＥＥ８０２．１１ａ／ｇ／ｎなど他の規格であってもよい。
また、上述した実施形態においては、通信端末１は、移動体通信網を介してデータ通信を行い、移動体通信網に接続されたサーバー装置、または移動体通信網と接続されたコンピュータネットワークに接続されたサーバー装置から周波数テーブルＴＢ１と送信電力テーブルＴＢ２をダウンロードし、ダウンロードした各テーブルを記憶部１０５に記憶させてもよい。
また、各テーブルをコンピュータネットワークに接続されたサーバー装置へ記憶させてもよい。この構成の場合、通信端末１は受信したＭＣＣをサーバー装置へ送信し、このＭＣＣを受信したサーバー装置が、上述した通信端末１と同様に受信したＭＣＣに基づいて中心周波数と最大送信電力を各テーブルから取得し、取得した中心周波数と最大送信電力を通信端末１へ送信してもよい。そして、サーバー装置から送られた中心周波数と最大送信電力を受信した通信端末１は、受信した中心周波数と最大送信電力で第２通信部１０８Ｂを設定してもよい。
【符号の説明】
【００４４】
１・・・通信端末、１０１・・・バス、１０２・・・ＣＰＵ（Central Processing Unit）、１０３・・・ＲＯＭ（Read Only Memory）、１０４・・・ＲＡＭ（Random Access Memory）、１０５・・・記憶部、１０６・・・操作部、１０７・・・表示部、１０８Ａ・・・第１通信部、１０８Ｂ・・・第２通信部、１０９・・・通話部、２００・・・無線ＬＡＮ通信部、２０１・・・移動体通信部、２０２・・・国判断部、２０３・・・共通設定取得部、２０４・・・無線ＬＡＮ設定部
【図１】
2010288131.tif 000003
【図２】
2010288131.tif 000004
【図３】
2010288131.tif 000005
【図４】
2010288131.tif 000006
【図５】
2010288131.tif 000007
【図６】
2010288131.tif 000008
【図７】
2010288131.tif 000009
【図８】
2010288131.tif 000010
【図９】
2010288131.tif 000011
【図１０】
2010288131.tif 000012